(57)【特許請求の範囲】
【請求項１】
使用面側から排泄液を入れ、吸収要素により排泄液を吸収する構造の吸収性物品において、
トップシートと、
前記トップシートの裏面側に設けられたセカンドシートと、
物品の使用面側において、物品の両側部に前後方向に沿って設けられ、幅方向内側が着用時に着用者側に起立する縦方向立体ギャザーとを有し；
前記トップシートは、前後方向に沿って複数枚の単位シートから構成され、
前後方向に隣り合う単位シートのうち、
前後方向後側の単位シートの前側部分が、前後方向前側の単位シートの後側部分の上に重ねて配置され、その重なり部分において、単位シート相互は固定されず、
前記重なり部分の上側の単位シートの前後方向端部に、その端部が着用時に着用者側に起立するように伸縮部材が設けられた横方向立体ギャザーが構成され、
前記横方向立体ギャザーの起立基端が、前記重なり部分における下側の単位シートの前後方向縁と離間しており、その離間領域が、前記易透過性領域であり、
前記前後方向後側の単位シートのうち、前記易透過性領域よりも前後方向後側の部分がセカンドシートと固定され、
少なくとも横方向立体ギャザーの起立端部に相当する前後範囲において、前記横方向立体ギャザーが前記縦方向立体ギャザーの幅方向内側と結合され、
前記横方向立体ギャザーで覆われた易透過性領域が、横方向立体ギャザーを構成する単位シート並びに横方向立体ギャザーに覆われていない単位シートより、排泄液に関し易透過性である、
ことを特徴とする吸収性物品。
【請求項２】
前記縦方向立体ギャザーの起立基端が、前記重なり部分における下側の単位シートの幅方向縁と離間しており、その離間領域が、易透過性領域である請求項１記載の吸収性物品。
【請求項３】
製品の排尿部位に対し、横方向立体ギャザーが背側に設けられ、その起立端部が排尿部位側において起立するように設けられている請求項１記載の吸収性物品。
【請求項４】
横方向立体ギャザーで覆われた前記領域から前後方向前側へ延在するように、吸収要素のうちの少なくとも吸収体にスリット及び凹溝加工及び連続的なエンボス加工の少なくともいずれか一つが形成された請求項１記載の吸収性物品。
【発明の詳細な説明】
【技術分野】
【０００１】
本発明は、パッドタイプ、パンツタイプ若しくはテープタイプ使い捨ておむつ等の吸収性物品に関するものである。
【背景技術】
【０００２】
排泄液を吸収した吸収性物品を着用したまま着座等すると、体によって押された部分で吸収した排泄液が着用者の肌へ漏れ出す現象（以下、「逆戻り」という）が生じる。排泄時を考慮すると、吸収性物品の使用面側は排泄液を透過しやすくする必要があるが、透過しやすくすることで、吸収体に一旦吸収された排泄液が逆戻りしやすくなるという問題を抱えている。
【先行技術文献】
【特許文献】
【０００３】
【特許文献１】特開２００７−２０３０９６号公報
【特許文献２】特開２０１０−１１５２１８号公報
【発明の概要】
【発明が解決しようとする課題】
【０００４】
従来、このような逆戻りに対して有効な解決策が提供されていない。
そこで、本発明の主たる課題は、吸収性物品の逆戻りを防止することにある。
【課題を解決するための手段】
【０００５】
上記課題を解決した本発明は次記のとおりである。
＜請求項１記載の発明＞
使用面側から排泄液を入れ、吸収要素により排泄液を吸収する構造の吸収性物品において、
トップシートと、
前記トップシートの裏面側に設けられたセカンドシートと、
物品の使用面側において、物品の両側部に前後方向に沿って設けられ、幅方向内側が着用時に着用者側に起立する縦方向立体ギャザーとを有し；
前記トップシートは、前後方向に沿って複数枚の単位シートから構成され、
前後方向に隣り合う単位シートのうち、
前後方向後側の単位シートの前側部分が、前後方向前側の単位シートの後側部分の上に重ねて配置され、その重なり部分において、単位シート相互は固定されず、
前記重なり部分の上側の単位シートの前後方向端部に、その端部が着用時に着用者側に起立するように伸縮部材が設けられた横方向立体ギャザーが構成され、
前記横方向立体ギャザーの起立基端が、前記重なり部分における下側の単位シートの前後方向縁と離間しており、その離間領域が、前記易透過性領域であり、
前記前後方向後側の単位シートのうち、前記易透過性領域よりも前後方向後側の部分がセカンドシートと固定され、
少なくとも横方向立体ギャザーの起立端部に相当する前後範囲において、前記横方向立体ギャザーが前記縦方向立体ギャザーの幅方向内側と結合され、
前記横方向立体ギャザーで覆われた易透過性領域が、横方向立体ギャザーを構成する単位シート並びに横方向立体ギャザーに覆われていない単位シートより、排泄液に関し易透過性である、
ことを特徴とする吸収性物品。
【０００６】
（作用効果）
着用者が単位シートに排泄液を排泄すると、縦方向立体ギャザーで覆われた領域及び横方向立体ギャザーで覆われた領域の少なくとも一方の領域と、単位シートとの透過性能の違いにより、単位シートから、縦方向立体ギャザーで覆われた領域および横方向立体ギャザーで覆われた領域の少なくとも一方の領域へ排泄液が移動する。そして、排泄液は吸収要素によって吸収される。
着用者が着座等をして吸収要素を押した場合であっても、縦方向立体ギャザーで覆われた領域及び横方向立体ギャザーで覆われた領域は、縦方向立体ギャザーおよび横方向立体ギャザーによって蓋がされたような状態になるため、排泄液が単位シートへ逆戻りすることを防ぐことができる。
また、離間領域を形成することで、単位シートとの透過性能の差をつけやすくなる。
【０００７】
（削除）
【０００８】
（削除）
【０００９】
＜請求項２記載の発明＞
前記縦方向立体ギャザーの起立基端が、前記重なり部分における下側の単位シートの幅方向縁と離間しており、その離間領域が、易透過性領域である請求項１記載の吸収性物品。
【００１０】
（作用効果）
請求項１と同様の効果がある。
【００１１】
＜請求項３記載の発明＞
製品の排尿部位に対し、横方向立体ギャザーが背側に設けられ、その起立端部が排尿部位側において起立するように設けられている請求項１記載の吸収性物品。
【００１２】
（作用効果）
排尿部位に対して背側にポケットが形成され、排泄された尿がそのポケットよりも前後方向後側へ移動することを防ぐことができるとともに、ポケットに易透過性領域が形成されているため、速やかに尿を吸収体へ移動させることができる。
【００１３】
＜請求項４記載の発明＞
横方向立体ギャザーで覆われた前記領域から前後方向前側へ延在するように、吸収要素のうちの少なくとも吸収体にスリット及び凹溝加工及び連続的なエンボス加工の少なくともいずれか一つが形成された請求項１記載の吸収性物品。
【００１４】
（作用効果）
単位シートから横方向立体ギャザーで覆われた領域へ、排泄液が移動しやすくなる。また、吸収性物品を着用すると、スリット等を起点として、吸収要素の幅方向両側が着用者側へ移動し、吸収要素の幅方向中間が裏面側へ移動する。その結果、吸収要素に窪みが形成され、排泄液の排泄量が多い場合であっても、窪み部分で一時的に保持することができるため、溢れもれを防ぐことができる。
【発明の効果】
【００１５】
以上のとおり本発明によれば、吸収性物品の逆戻りを防止することができる。
【図面の簡単な説明】
【００１６】
【図１】本発明の吸収性物品の平面図である。
【図２】本発明の吸収性物品の縦方向立体ギャザーを示した平面図である。
【図３】本発明の吸収性物品の横方向立体ギャザーと単位シートを示した一部破断図である。
【図４】本発明の吸収性物品の吸収要素を示した平面図である。
【図５】図１のＸ−Ｘ断面図である。
【図６】図１のＹ−Ｙ断面図である。
【図７】図６の横方向立体ギャザーの立ち上がりを示した断面図である。
【図８】図１のＺ−Ｚ断面図である。
【図９】図８の横方向立体ギャザーの立ち上がりを示した断面図である。
【図１０】図１のＴ−Ｔ断面図である。
【図１１】図１０の横方向立体ギャザーの立ち上がりを示した断面図である。
【図１２】装着状態の斜視図である。
【図１３】スリットを起点として窪みを形成した状態を示した断面図である。
【図１４】本発明の吸収性物品の製造方法を示した図である。
【発明を実施するための形態】
【００１７】
以下、本発明の一実施形態について、添付図面に示されるパッドタイプ使い捨ておむつの例を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。図示形態のように、物品の前後方向中間あるいは吸収体の前後方向中間より少し前側に幅の狭い括れ部分を有する場合は、「股間部」は括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。また吸収体における「スリット」とは、吸収体に形成した細長い切り込みをいう。また、本発明の吸収性物品を構成する各構成物品において、着用者に近い側の面を「使用面」といい、遠い側の面を「裏面」という。また、着用者の肌に近い側を「使用面側」といい、遠い側を「裏面側」という。
【００１８】
図１〜図１３は、本発明に係るパッドタイプ使い捨ておむつ例２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、おむつ全長Ｌ（前後方向長さ）は３５０〜７００ｍｍ程度、おむつ全幅Ｗ１は１３０〜４００ｍｍ程度とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００１９】
本実施例のパッドタイプ使い捨ておむつ２００は、裏面側に外装シート３２を有し、使用面側に向かって順に、バックシート２１、吸収体２３、中間シート２５、セカンドシート２２、トップシート１１を積層した構造を有している。
【００２０】
本発明においては、着用者の肌に最も近い側にあるシートをトップシートという。このトップシートは、複数枚の単位シートから構成される。また、このトップシートよりも裏面側にあるシートおよび吸収体を総称して吸収要素という。本実施例の場合においては、外装シート３２、バックシート２１、吸収体２３、中間シート２５、セカンドシート２２が吸収要素に該当する。
【００２１】
吸収体２３の外側には、バックシート２１が吸収体２３の周縁より若干食み出すように設けられている。バックシート２１としては、遮水性を有するものが好ましく、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２２】
また、バックシート２１の裏面は、不織布からなる外装シート３２により覆われており、この外装シート３２は、所定の食み出し幅をもってバックシート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２３】
吸収体２３の使用面は、セカンドシート２２により覆われている。図示形態ではセカンドシート２２の側縁から吸収体２３が一部食み出しているが、吸収体２３の側縁が食み出さないようにセカンドシート２２の幅を広げることもできる。セカンドシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。本発明においては、このセカンドシート２２を省略する形態も考えることができる。
【００２４】
セカンドシート２２と吸収体２３との間には、中間シート２５を介在させるのが望ましい。この中間シート２５は、吸収体２３により吸収した尿の逆戻りを防止するために設けられるものであり、保水性が低く、且つ透液性の高い素材、例えばメッシュフィルム等を用いるのが望ましい。セカンドシート２２の前端を０％としセカンドシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅２５ｗは吸収体２３の幅Ｗ２の５０〜９０％程度であるのが好ましい。
【００２５】
パッドタイプ使い捨ておむつ２００の前後方向両端部では、外装シート３２およびセカンドシート２２が吸収体２３の前後端よりも前後両側にそれぞれ延在されて貼り合わされ、吸収体２３の存在しないエンドフラップ部ＥＦが形成されている。パッドタイプ使い捨ておむつ２００の両側部では、外装シート３２が吸収体２３の側縁よりも外側にそれぞれ延在され、この延在部からセカンドシート２２の側部までの部分の使用面には縦方向立体ギャザーシート２４の幅方向外側の部分２４ｘが前後方向全体にわたり貼り付けられ、吸収体２３の存在しないサイドフラップ部ＳＦを構成している。縦方向立体ギャザーシート２４とは、縦方向立体ギャザーを構成するシートをいう。これら貼り合わせは、例えば、ホットメルト接着剤、ヒートシール、超音波シールにより行われる。これらエンドフラップ部ＥＦ及びサイドフラップ部ＳＦは、本発明の周縁部をなし、これらにより囲まれる部分が本発明の本体部をなす。外装シート３２を設けない場合、外装シート３２に代えてバックシート２１をサイドフラップ部ＳＦまで延在させ、サイドフラップ部ＳＦの裏面側を形成することができる。
【００２６】
縦方向立体ギャザーシート２４の素材としては、プラスチックシートやメルトブローン不織布を使用することもできるが、肌への感触性の点で、シリコンなどにより撥水処理をした不織布が好適に使用される。
【００２７】
縦方向立体ギャザーシート２４の幅方向中央側の部分２４ｃはセカンドシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２８】
また、両縦方向立体ギャザーシート２４，２４は、幅方向外側の部分２４ｘが前後方向全体にわたりセカンドシート２２の使用面および外装シート３２の使用面に貼り合わされて固定されるとともに、幅方向中央側の部分２４ｃが、前後方向の両端部ではセカンドシート２２の使用面に貼り合わされて固定され、かつ前後方向の両端部間ではセカンドシート２２使用面に固定されていない。この非固定部分は、図１に示されるように、セカンドシート２２の使用面に対して起立可能なバリヤ部となる部分であり、その起立基端２４ｂは縦方向立体ギャザーシート２４における幅方向外側の固定部分２４ｘと内側の部分２４ｃとの境に位置する。
【００２９】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。吸収体２３における繊維目付け及び高吸収性ポリマーの目付けは適宜定めることができるが、繊維目付けは１００〜６００ｇ／ｍ2程度とするのが好ましく、また吸収性ポリマーの目付けは０〜４００ｇ／ｍ2程度とするのが好ましい。高吸収性ポリマー粒子を混合する場合等、必要に応じて、吸収体２３はクレープ紙等の包装シート（図示せず）により包むことができる。また、吸収体２３の形状は、相対的に前側の部分が後側の部分よりも幅広な帯状、あるいは長方形状、台形状等、適宜の形状とすることができる。
【００３０】
吸収体２３は、股間部Ｃ２を含む前後方向中間の所定部分が幅の狭い括れ部分２３ｎとして形成されている。この括れ部分２３ｎの最小幅Ｗ３は、括れ部分２３ｎの前後に位置する非括れ部分の幅（吸収体２３の全幅）Ｗ２の５０〜６５％程度であるのが好ましい。また、おむつ前端を０％としおむつ後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ３となる部位（最小幅部位）は２５〜３０％の範囲に位置しているのが好ましい。
【００３１】
パッドタイプ使い捨ておむつ２００の厚さ方向において、セカンドシート２２と縦方向立体ギャザーシート２４の間にトップシート１１が設けられている。このトップシート１１は、吸収体２３で吸収した排泄液が着用者の肌へ漏れ出す現象（以下、「逆戻り」という）を防止する機能を有するシートである。
【００３２】
トップシート１１は、吸収体２３で吸収した排泄液が漏れ出さないように、撥水性または疎水性または不透液性を有するものが望ましい。具体的な素材としては、プラスチックシート、メルトブローン不織布、シリコンなどにより撥水処理をした不織布を用いることができる。また、逆戻りを防止する目的を考えると、防水フィルムをラミネートした不織布を用いるのが好ましい。
【００３３】
トップシート１１は単位シートから構成され、図３においては、前側部分から後側部分へ順に１１ａ、１１ｂ、１１ｃ、１１ｄの４枚の単位シートを配置している。
単位シート１１ａは、裏面全体をセカンドシート２２の前側部分に貼り付けて固定する。この貼り合わせは、例えば、ホットメルト接着剤、ヒートシール、超音波シールにより行われる。
【００３４】
また、単位シート１１ｂは、その前後方向前側を単位シート１１ａの前後方向後側の上に重ねて配置する。その重なり部分において、単位シート１１ａと１１ｂは貼り合わさず固定しない。単位シート１１ｂの前記重なり部分から前後方向後側に所定の距離１１ｘ置いた部分においても、単位シート１１ｂはセカンドシート２２と貼り合わさず固定しない。この所定の距離１１ｘと、単位シート１１ｂの幅方向の全長によって区画される空間を易透過性領域１１Ｌという。単位シート１１ｂのうち、前記易透過領域１１Ｌよりも前後方向後側の部分は、その裏面全体をセカンドシート２２に貼り付けて固定する。この固定部と前記易透過領域１１Ｌの境界は、単位シート１１ｂの起立基端１１ｐとなる。このように単位シートおよび細長状弾性部材１１Ｇによって、横方向立体ギャザーが形成される。このとき、単位シートの端部のうち、立ち上がる部分を起立端部１７という。
【００３５】
なお、前記易透過領域は単位シートよりも液体の透過性能が高く、その透過性能の差により、単位シートに排泄された尿などが易透過領域へ移動することとなる。また、易透過領域は、排泄液の量が多い場合、排泄液を一時的に保持する機能も有する。
【００３６】
単位シート１１ｂの前後方向前側の端部には、細長状弾性部材１１Ｇが幅方向に沿って伸張状態でホットメルト接着剤等により固定されている。この細長状弾性部材１１Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３７】
単位シート１１ｃは、その前後方向前側を単位シート１１ｂの前後方向後側の上に重ねて配置する。その重なり部分において、単位シート１１ｂと１１ｃは貼り合わさず固定しない。単位シート１１ｃの前記重なり部分から前後方向後側に所定の距離１１ｙ置いた部分においても、単位シート１１ｃはセカンドシート２２と貼り合わさず固定しない。この所定の距離１１ｙと、単位シート１１ｃの幅方向の全長によって区画される空間を易透過領域１１Ｍという。単位シート１１ｃのうち、前記易透過領域１１Ｍよりも前後方向後側にある部分においては、その裏面全体をセカンドシート２２に貼り付けて固定する。この固定部と前記易透過領域１１Ｍの境界は、単位シート１１ｃの起立基端１１ｑとなる。また、単位シート１１ｃの前後方向前側の端部にも、細長状弾性部材１１Ｇが幅方向に沿って伸張状態でホットメルト接着剤等により固定されている。
【００３８】
単位シート１１ｄは、その前後方向前側を単位シート１１ｃの前後方向後側の上に重ねて配置する。その重なり部分において、単位シート１１ｃと１１ｄは貼り合わさず固定しない。単位シート１１ｄの前記重なり部分から前後方向後側に所定の距離１１ｚ置いた部分においても、単位シート１１ｄはセカンドシート２２と貼り合わさず固定しない。この所定の距離１１ｚと、単位シート１１ｄの幅方向の全長によって区画される空間を易透過領域１１Ｎという。単位シート１１ｄのうち、前記易透過領域１１Ｎよりも前後方向後側にある部分においては、その裏面全体をセカンドシート２２に貼り付けて固定する。この固定部と前記易透過領域１１Ｎの境界は、単位シート１１ｄの起立基端１１ｒとなる。また、単位シート１１ｄの前後方向前側の端部にも、細長状弾性部材１１Ｇが幅方向に沿って伸張状態でホットメルト接着剤等により固定されている。
【００３９】
一方、単位シート１１は、平面視で、一対の縦方向立体ギャザーシート２４、２４それぞれの起立基端２４ｂ、２４ｂの間に配置されている。このとき、単位シート１１の幅方向端部１１Ｓと縦方向立体ギャザーシート２４の起立基端２４ｂの間には、単位シート１１が存在しない易透過領域１２Ａがある。また、縦方向立体ギャザーシート２４の幅方向中央側の部分２４ｃの裏面と、単位シート１１ｂ、１１ｃ、１１ｄの非固定部の使用面とが重なる部分は、互いに貼り付けられて固定される。この貼り合わせは、例えば、ホットメルト接着剤、ヒートシール、超音波シールにより行われる。
【００４０】
パッドタイプ使い捨ておむつ２００を着用すると、細長状弾性部材１１Ｇおよび２４Ｇの収縮作用と着用者の足圧によって、易透過領域１１Ｌの使用面と単位シート１１ｂの裏面の間、易透過領域１１Ｍの使用面と単位シート１１ｃの裏面の間、易透過領域１１Ｎの使用面と単位シート１１ｄの裏面の間、易透過領域２４Ａの使用面と縦方向立体ギャザーシート２４の間にそれぞれ空間ができる。
【００４１】
男性の着用者が尿を排出すると、排出された尿は単位シート１１ａを通って易透過領域１１Ｌへ流れ、この易透過領域１１Ｌを通って裏面側にある吸収体２３に吸収される。また、着用者の体位が左右に傾いている場合、排出された尿は単位シート１１ａを通って易透過領域２４Ａへ流れ、この易透過領域２４Ａを通って裏面側にある吸収体２３に吸収される。易透過領域１１Ｌだけでなく易透過領域２４Ａも設けることで、着用者の体位が左右に傾いている場合であっても、排出された尿を迅速に吸収体２３で吸収することができるとともに、尿の排出量が多い場合であっても、尿の排出が追い付かずに易透過領域１１Ｌ付近で溢れることを防ぐことができる。
【００４２】
一方、女性の着用者が尿を排出すると、排出された尿は単位シート１１ｂを通って易透過領域１１Ｍへ流れ、この易透過領域１１Ｍを通って裏面側にある吸収体２３に吸収される。また、着用者の体位が左右に傾いている場合、排出された尿は単位シート１１ｂを通って易透過領域２４Ａへ流れ、この易透過領域２４Ａを通って裏面側にある吸収体２３に吸収される。易透過領域２４Ａの利点は、前記と同様である。
【００４３】
さらに、着用者が軟便や下痢便を排出すると、排出された便の液体は単位シート１１ｃを通って易透過領域１１Ｎへ流れ、この易透過領域１１Ｎを通って裏面側にある吸収体２３に吸収される。また、着用者の体位が左右に傾いている場合、排出された尿は単位シート１１ｃを通って易透過領域２４Ａへ流れ、この易透過領域２４Ａを通って裏面側にある吸収体２３に吸収される。易透過領域２４Ａの利点は、前記と同様である。
【００４４】
また、着座等によってパッドタイプ使い捨ておむつ２００が着用者によって押された場合であっても、単位シート１１によって、吸収体２３で保持されている排泄液の逆戻りを防止することができる。その結果、着用者のスキントラブルを防止することができる。
【００４５】
易透過領域１１Ｌ、１１Ｍ、１１Ｎには単位シート１１を貼り付けていないが、前記各易透過領域の使用面側にはそれぞれ単位シート１１ｂ、１１ｃ、１１ｄが存在する。着用者が着座等をすると単位シート１１ｂ、１１ｃ、１１ｄが体圧に押されてそれぞれ易透過領域１１Ｌ、１１Ｍ、１１Ｎに重なり、易透過領域１１Ｌ、１１Ｍ、１１Ｎに蓋をするような状態になる。そのため、吸収体２３に保持されている排泄液が易透過領域１１Ｌ、１１Ｍ、１１Ｎを通じて逆戻りすることを、各単位シート１１ｂ、１１ｃ、１１ｄによって防ぐことができる。
【００４６】
さらに、易透過領域１２Ａにも単位シート１１を貼り付けていないが、易透過領域１２Ａの使用面側には、縦方向立体ギャザーシート２４が存在する。この縦方向立体ギャザーシート２４は前記の通り撥水素材から構成されており、着用者の体圧がかかると縦方向立体ギャザーシート２４が体圧に押されて易透過領域１２Ａに重なり、易透過領域１２Ａに蓋をするような状態になる。そのため、吸収体２３に保持されている排泄液が易透過領域１２Ａを通じて逆戻りすることを、この縦方向立体ギャザーシート２４によって防ぐことができる。
【００４７】
一方、吸収体２３には、単位シート１１ｂの前後方向後端を始点として、前後方向前側に延在する二本のスリット１３が形成されている。スリット１３を設けることで、排出された尿を迅速に易透過領域１１Ｌ、１１Ｍに移動させることができる。その結果、易透過領域１１Ｌ、１１Ｍの面積が小さくても、尿の吸収スピードが速くなり、吸収が遅いことによる溢れもれを防ぐことができる。
【００４８】
また、図１３のように、パッドタイプ使い捨ておむつ２００を着用すると、細長状弾性部材１１Ｇの収縮作用と着用者の足圧により、スリット１３を起点として、幅方向両側にある吸収体２３Ａ、２３Ｃが押し上げられ、幅方向中央にある吸収体２３Ｂが押し下げられる。その結果、断面視で略Ｕ字形の窪みが形成される。その結果、放尿量が多い場合であっても、窪み部分で一時的に尿を保持することができ、溢れもれを防ぐことができる。
【００４９】
このスリット１３の形状は、単位シート１１ａ、１１ｂに排出された尿を易透過領域１１Ｌ、１１Ｍへ誘導するものであれば、特に問わない。図４の様に直線状とする他、幅方向外側又は中央側に膨出する弧状等の曲線状や波状としても良い。これらの形状のうち最も好ましいものは、尿の移動距離が最も短くなる直線状である。
また、スリット１３は、易透過領域１１Ｌ、１１Ｍの前後方向前側の端辺と所定の角度を付けて斜めに設けてもよい。
【００５０】
図４においては、スリットの数を二本にしたが、一本であっても良いし、三本以上設けても良い。この場合、スリットの数を多くするほど、単位シート１１ａ、１１ｂに排出された尿を易透過領域１１Ｌ、１１Ｍへ早く移動させることができるというメリットがある。また、複数本設ける場合は、スリットの間をある程度離間させるのが好ましい。ある程度（例えば吸収体２３の股間部Ｃ２の幅の２０〜３０％程度）離間させることで、前記の窪み部分が形成しやすくなるからである。
【００５１】
また、スリット１３の前後方向の範囲は適宜定めることができるが、単位シート１１ａ、１１ｂに排出された尿を易透過領域１１Ｌ、１１Ｍへ誘導するためには、スリット１３の前後方向前端部を単位シート１１ａ、１１ｂの裏面側に設けるのが好ましい。同様の理由から、スリット１３の前後方向後端部を易透過領域１１Ｌ、１１Ｍの裏面側に設けるのが好ましい。
【００５２】
図６等において、前記スリット１３は、吸収体２３を厚さ方向に貫通するように設けているが、貫通させないようにしても良い。貫通させない場合は、尿の拡散通路を作るため、使用面側が窪む凹形状とするのが良い。また、スリット１３に代えて、連続的なエンボス加工を吸収体２３の表面に形成することにより尿の拡散通路を構成しても良い。さらに、スリットや連続的なエンボス加工に代えて、凹溝加工を吸収体２３の表面に形成することにより尿の拡散通路を構成しても良い。
【００５３】
図４においては、前記スリット１３を吸収体２３に設けている。より具体的には、易透過領域１１Ｍの裏面側に始点を設け、そこから単位シート１１ａの裏面側まで、前後方向前側へ延在するように直線状に二本設けている。しかし、易透過領域１１Ｍの裏面側に始点を設け、そこから単位シート１１ｂの裏面側まで、前後方向前側へ延在するように直線状に二本設けるとともに、それとは別に、易透過領域１１Ｌの裏面側に始点を設け、そこからから単位シート１１ａの裏面側まで、前後方向前側へ延在するように直線状に二本設けるようにしてもよい。
【００５４】
また、易透過領域１１Ｎから単位シート１１ｃまで前後方向にスリット１３を設けるようにしても良い。このスリット１３を設けることで、単位シート１１ｃに排出された軟便の液体を迅速に易透過領域１１Ｎへ移動させることができる。
【００５５】
さらに、パッドタイプ使い捨ておむつ２００を男性用と女性用に分け、男性用の場合は易透過領域１１Ｍを設けないようにするとともに、女性用の場合は、易透過領域１１Ｌを設けないようにすることもできる。
【００５６】
そのほか、図３においては、易透過領域を計三つ設けたが、四つ以上設けるようにしてもよい。易透過領域の数を増やすことで、排泄液が排泄された箇所から易透過領域までの距離が短くなるため、排泄液をより早く吸収体２３で吸収することができるというメリットがある。
【００５７】
本発明のパッドタイプ使い捨ておむつ２００においては、着用者の肛門に対向する位置の吸収体２３を薄くすることもできる。吸収体２３を薄くすることで、便用パッドを併用しやすくなる。便用パッドを併用することで、軟便や下痢便など粘性の高い排泄液が排泄された場合であっても、便用パッドが排泄液の吸収を補助し、着用者が感じる不快感を軽減させることができる。この便用パッドとして、例えば、「テークケア軟便吸収パッド」（大王製紙株式会社製）を用いることができる。
【００５８】
（製法）
本発明の吸収性物品の製法を説明する。なお、説明においては、本発明の特徴的部分である単位シート１１の貼り付け工程に絞って説明する。
図１４の左側を上流とし、右側を下流とする。上流には吸収性物品の原材料があり、下流には吸収性物品の完成品がある。
【００５９】
単位シート１１を貼り付ける作業スペースでは、上流から下流へ縦方向立体ギャザーシート２４が流れている。また、その縦方向立体ギャザーシート２４の下方では、一定の間隔で切断された単位シート１１が上流から下流へ流れている。
【００６０】
そして、一枚の単位シート１１の上流側の使用面の幅方向両端と縦方向立体ギャザーシート２４の裏面とを貼り付ける。この貼り付け作業は、下流側にある単位シート１１から順に行う。より詳細には、まず、縦方向立体ギャザーシート２４の裏面に一枚目の単位シート１１αを貼りつけ（図１４（Ａ））、次に、二枚目の単位シート１１βを貼り付け（図１４（Ｂ））、次に三枚目の単位シート１１θを貼り付ける（図１４（Ｃ））、というように順番に貼り付けを行っていく。このとき、単位シート１１の上流側と、隣にある他の単位シート１１の下流側が一部で重なるようにする。
【００６１】
その後、単位シート１１の下流側の裏面と、セカンドシート２２の使用面を貼り付ける。この貼り付け作業も、下流側にある単位シート１１から順に行う。
このとき、単位シート１１の上流側かつ裏面側に易透過領域を形成するため、単位シート１１を貼り付けない領域を設ける。
【００６２】
その後、縦方向立体ギャザーシート２４の裏面と、セカンドシート２２の使用面を貼り付ける。この貼り付け作業も、下流側にある単位シート１１から順に行う。このとき、縦方向立体ギャザーシート２４の幅方向中央側かつ裏面側に親水部を形成するため、縦方向立体ギャザーシート２４を貼り付けない領域を設ける。
【符号の説明】
【００６３】
１１…トップシート、  １１ａ、１１ｂ、１１ｃ、１１ｄ…単位シート、１１Ｇ…細長状弾性部材、１１Ｌ、１１Ｍ、１１Ｎ…易透過領域、１１Ｓ…単位シート幅方向端辺、１３…スリット、１７…起立端部、２１…バックシート、２２…セカンドシート、２３…吸収体、２３ｎ…括れ部分、２４…縦方向立体ギャザーシート、２４Ｇ…細長状弾性部材、２５…中間シート、３２…外装シート、２００…パッドタイプ使い捨ておむつ、Ｃ２…股間部、Ｆ２…前側部分、Ｂ２…後側部分、Ｌ…おむつ全長、Ｗ１…おむつ全幅、Ｗ２…吸収体全幅、ＥＦ…エンドフラップ部、ＳＦ…サイドフラップ部
【図１】
0005913886.tif 000002
【図２】
0005913886.tif 000003
【図３】
0005913886.tif 000004
【図４】
0005913886.tif 000005
【図５】
0005913886.tif 000006
【図６】
0005913886.tif 000007
【図７】
0005913886.tif 000008
【図８】
0005913886.tif 000009
【図９】
0005913886.tif 000010
【図１０】
0005913886.tif 000011
【図１１】
0005913886.tif 000012
【図１２】
0005913886.tif 000013
【図１３】
0005913886.tif 000014
【図１４】
0005913886.tif 000015